(57)【特許請求の範囲】
【請求項１】
第１の主面を有する第１のパネル（２）と、第２の主面を有する第２のパネル（４）とを含むパネルのセットであって、前記第１のパネルおよび前記第２のパネルは、前記第１のパネル（２）の第１のエッジを前記第２のパネル（４）の第２のエッジに対して接合面（Ｊ）において固定するための機械的ロック装置が設けられ、前記第１の主面は前記第２の主面に対して本質的に垂直であり、前記接合面は前記第１の主面と前記第２の主面との間で延在し、
−  前記第１のエッジは、前記接合面（Ｊ）から延びるエッジ舌部（２２）を含み、
−  前記第２のエッジは、前記接合面においてエッジ溝（２１）を有し、前記エッジ舌部は、前記接合面（Ｊ）と平行な第１の方向へ前記第１のエッジ及び前記第２のエッジを一緒に固定するために前記エッジ溝と協働するように構成され、
−  前記エッジ舌部（２２）は舌部溝（１０）を有し、
−  前記エッジ溝（２１）は、挿入溝（２０）に配置された可撓性舌部（３０）を有し、前記可撓性舌部は、前記接合面と垂直な第２方向へ前記第１のエッジ及び前記第２のエッジを一緒に固定するために舌部溝（１０）と協働するように構成され、
−  前記第１のエッジは、前記第１の主面に対して傾いている傾斜端面を有し、
−  前記第２のエッジは、前記第２の主面に対して傾いている傾斜端面を有し、
−  前記エッジ舌部は、前記第１のエッジの前記傾斜端面と前記第２のエッジの前記傾斜端面とがお互いに向かい合って前記第１のエッジ及び前記第２のエッジを一緒に固定するように、前記エッジ溝と協働し、
前記エッジ舌部（２２）は、前記第１のエッジの前記傾斜端面から突出し、
前記エッジ溝（２１）は、前記第２のエッジの前記傾斜端面から後退していることを特徴とするパネルのセット。
【請求項２】
前記接合面と前記第１の主面との間の角度は約４５°である、請求項１に記載のパネルのセット。
【請求項３】
エッジ舌部（２２）は前記接合面から本質的に垂直に延在する、請求項１または２に記載のパネルのセット。
【請求項４】
前記接合面（Ｊ）における前記エッジ舌部（２２）は、第１の面（４１）と反対側の第２の面（４３）とを含み、前記第１の面及び第２の面は平行であり、好ましくは接合面（Ｊ）に対して垂直である請求項１〜３のうちのいずれか一項に記載のパネルのセット。
【請求項５】
前記接合面における前記エッジ溝（２１）は、第３の面（４０）および反対側の第４の面（４２）を含み、前記第３の面および前記第４の面は前記第１の面（４１）及び前記第２の面（４３）に平行であり、前記第１の方向への固定のために、前記第１の面は前記第３の面と協働するように構成され且つ前記第２の面は前記第４の面と協働するように構成される請求項４に記載のパネルのセット。
【請求項６】
前記エッジ舌部（２２）は、前記舌部の先端部において第５の面（４５）と反対側の第６の面（４７）とを含み、前記第５の面および前記第６の面（４５，４７）は平行であり、好ましくは前記接合面（Ｊ）に対して垂直である請求項１〜５のいずれか一項に記載のパネルのセット。
【請求項７】
前記エッジ溝（２１）は、前記エッジ溝の底部において第７の面（４４）と反対側の第８の面（４６）とを含み、前記第７の面及び前記第８の面（４４、４６）は前記第５の面（４５）及び前記第６の面（４７）と平行であり、前記第１の方向への固定のために前記第５の面（４５）は前記第７の面（４４）と協働するように構成され且つ前記第６の面（４７）は前記第８の面（４６）と協働するように構成される請求項６に記載のパネルのセット。
【請求項８】
前記挿入溝（２０）は、前記第２の主面に平行に配置され、または前記第２の主面に対して鋭角（７５）に配置され、前記挿入溝の底部は、前記エッジ溝（２１）に対する前記挿入溝の開口よりも前記第２のパネルの内面に近い請求項１〜７のいずれか一項に記載のパネルのセット。
【請求項９】
前記挿入溝（２０）は、前記エッジ溝（２１）の本質的に全長に沿って延びる請求項１〜８のいずれか一項に記載のパネルのセット。
【請求項１０】
前記エッジ溝（２１）は、本質的に前記第２のエッジの全長に沿って延在する、請求項１〜９のいずれか一項に記載のパネルのセット。
【請求項１１】
前記可撓性舌部（３０）は前記挿入溝（２０）において移動可能である、請求項１〜１０のいずれか一項に記載のパネルのセット。
【請求項１２】
前記第１のパネルおよび前記第２のパネルのコア材料は、ＨＤＦ、ＭＤＦ、合板、一枚木材またはパーティクルボードなどの木質繊維ベースのボード、強化プラスチックボード、または木質繊維複合ボードを含む、請求項１から１１のいずれか一項に記載のパネルのセット。
【請求項１３】
前記コアには装飾層が設けられている、請求項１２に記載のパネルのセット。
【請求項１４】
前記エッジ舌部（２２）の外側ベベルエッジは、前記装飾層の一部（６４）によって覆われている、請求項１３に記載のパネルのセット。
【請求項１５】
前記第１のエッジは、前記接合面（Ｊ）に平行な第１のエッジ面（５５）を含み、前記第２のエッジは、前記接合面に平行な第２のエッジ面（５４）を含み、前記第１のエッジ面（５５）は前記第２のエッジ面（５４）と協働するように構成されている、請求項１〜１４のいずれか一項に記載のパネルのセット。
【請求項１６】
前記第１のエッジ面または前記第２のエッジ面は凹部（５０）を含む、請求項１５に記載のパネルのセット。
【発明の詳細な説明】
【技術分野】
【０００１】
本発明は、互いに垂直に配置されうるパネルであって、機械的ロック装置と一緒に固定されるパネルに関する。そのパネルは、本棚、食器棚、ワードローブ、台所設備、ボックス、引き出しまたは家具構成要素などの調度品を得るために一緒に組み立てられ固定されてもよい。ロック装置は、可撓性のある舌部を備えていてもよい。
【背景技術】
【０００２】
国際公開公報ＷＯ２０１２１５４１１３（Ａ１）により明らかにされているように、機械的ロック装置が設けられた調度品は当該技術分野で知られている。調度品は、挿入溝において可撓性舌部を含む機械的ロック装置によって第２のパネルに対して垂直に接続された第１のパネルを備える。
【先行技術文献】
【特許文献】
【０００３】
【特許文献１】国際公開公報ＷＯ２０１２１５４１１３
【発明の概要】
【発明が解決しようとする課題】
【０００４】
本発明のある実施形態の１つの目的は、上述の技術および既知の技術に対する改良を提供することである。具体的な目的は、調度品、調度品構成要素、引き出し、食器棚、書棚、ワードローブ、台所設備、または貯留または移送のためのボックスなどの組み立てられた製品の留め接ぎ（ｍｉｔｒｅ  ｊｏｉｎｔ）での機械的ロック装置の強度を向上させることである。
【０００５】
本発明のある実施形態のさらなる目的は、増大した強度および安定性を有する調度品製品を提供することである。
【課題を解決するための手段】
【０００６】
これらのおよび他の目的および利点の少なくともいくつかは、第１の主面を有する第１のパネルと第２の主面を有する第２のパネルとを含むパネルのセットによって達成され、第１のパネルおよび第２のパネルには接合面で第１のパネルの第１のエッジを第２のパネルの第２のエッジに固定するための機械的ロック装置が設けられているという説明から明らかとなるであろう。第１の主面は、第２の主面に対して本質的に垂直であり、接合面は、第１の主面と第２の主面との間で延びている。第１のエッジは、接合面から延びるエッジ舌部を含む。第２のエッジは、接合面でエッジ溝を含み、エッジ舌部は、接合面に平行な第１の方向に第１のエッジおよび第２のエッジを一緒に固定するためにエッジ溝と協働するように構成される。エッジ舌部は舌部溝を含み、エッジ溝は挿入溝に配置された可撓性舌部を有し、前記可撓性舌部は、接合面に垂直な第２の方向へ第１のエッジおよび第２のエッジを一緒に固定するために舌部溝と協働するように構成されている。
【０００７】
この構成は大きなロック面および接触面を提供し、パネルの堅固な固定を得ることができる。
【０００８】
接合面と第１の主面との間の角度は、好ましくは約４５°である。異なる厚さを有する。第１のパネル及び第２のパネルのセットに関して異なる角度が好ましい場合がある。その角度は、好ましくは、第１のパネルの外面と第２のパネルの外面との交差部を通って第１のパネルの内面と第２のパネルの内面との交差部まで接合面が延びるように、適合される。第１のパネルの内面は、第２のパネルの内面に面している。第１のパネルの外面は、第１のパネルの内面の反対側にある。第２のパネルの外面は、第２のパネルの内面の反対側にある。
【０００９】
エッジ舌部は、接合面から本質的に垂直に延びていてもよい。
【００１０】
接合面におけるエッジ舌部は、第１の面と反対側の第２の面とを含んでいてもよく、第１の面と第２の面とは好ましくは平行である。
【００１１】
第１の面および反対側の第２の面は、好ましくは、接合面に対して本質的に垂直である。
【００１２】
接合面におけるエッジ溝は、第３の面と反対側の第４の面とを含み、第３の面および第４の面は、第１の面および第２の面と平行であってもよい。第１の方向への固定のために、第１の面は好ましくは第３の面と協働するように構成され、第２の面は好ましくは第４の面と協働するように構成される。
【００１３】
エッジ舌部は、舌部の先端部において第５の面と反対側の第６の面とを含み、第５の面および第６の面は平行であってもよい。
【００１４】
第５の面と反対側の第６の面とは、好ましくは、接合面に対して本質的に垂直である。
【００１５】
エッジ溝は、エッジ溝の底部において第７の面と反対側の第８の面とを含み、第７の面及び第８の面は第５の面及び第６の面に平行であってもよい。第１の方向への固定のために、第５の面は好ましくは第７の面と協働するように構成され、第６の面は好ましくは第８の面と協働するように構成される。
【００１６】
平行面は、更に、ロックシステムの強度と、機械的ロック装置が設けられた組み立てられた調度品製品の安定性とを高めうる。
【００１７】
挿入溝は、第２の主面と平行にまたは鋭角を成して配置され、挿入溝の底部は、エッジ溝に対する挿入溝の開口よりも第２のパネルの内面に近くてもよい。
【００１８】
その鋭角は、約１°〜約３０°、好ましくは約１０°、の範囲であってもよい。
【００１９】
これらの角度は、可撓性舌部のロック面と舌部溝のロック面との間の強い固定を提供しうる。
【００２０】
挿入溝は、本質的にエッジ溝の全長に沿って延びてもよい。
【００２１】
エッジ溝は、本質的に第２のエッジの全長に沿って延びてもよい。
【００２２】
可撓性舌部は、好ましくは挿入溝において移動可能である。
【００２３】
第１および第２のパネルのコア材料は、合板、一枚木板（ｓｏｌｉｄ  ｗｏｏｄ）或いはパーティクルボードなどの木質繊維ベースのボード、強化プラスチックボード或いは木質繊維複合ボードを含んでいてもよい。
【００２４】
そのコアは、好ましくは装飾層が設けられている。
【００２５】
エッジ舌部の外側ベベルエッジ（ｏｕｔｅｒ  ｂｅｖｅｌ  ｅｄｇｅ）は、装飾層の一部によって覆われてもよい。
【００２６】
例えばフライス加工などの機械的な切断によって、舌部が第１のパネルから形成される場合に、装飾層を有するベベルがコアの面を覆う装飾層から維持されるように、エッジ舌部は構成されうる。
【００２７】
装飾層を有するベベルエッジは、第１のパネルおよび第２のパネルの組み立ての間に可撓性舌部が変位するための有利な面となりうる。
【００２８】
第１のエッジは、接合面に平行な第１のエッジ面を含んでいてもよく、第２のエッジは、接合面に平行な第２のエッジ面を含んでいてもよく、第１のエッジ面は第２のエッジ面と協働するように構成されてもよい。
【００２９】
第１のエッジ面または第２のエッジ面は、凹部を有していてもよい。その凹部は、エッジ溝上で延びていてもよい。あるいは、エッジ舌部の各側において凹部が設けていてもよい。凹部は、より小さい領域にわたる増大した圧力とともに、第１のエッジ面と第２のエッジ面との間の接触を改善しうるものであり、機械的ロックシステムの機械的切断から残っている緩い繊維などの不規則部が第１のエッジ面または第２のエッジ面において圧縮される。凹部の深さは、約０．１ｍｍから約０．５ｍｍ、好ましくは約０．２ｍｍ、の範囲としうる。
【００３０】
第１のパネルおよび第２のパネルの接合面での外側コーナーは、ベベルエッジを含んでいてもよく、好ましくは装飾層によって覆われる。ベベルはコーナーの強さを増大させうる。装飾層は、プラスチックホイル、ベニア単板または塗料であってもよい。ペイントは、機械的ロックシステムのフライス加工などの機械的切断のための生産ラインにおいて適用されてもよい。
【００３１】
あるいは、可撓性舌部は、第２のパネルの第２のエッジのエッジ舌部の挿入溝に配置されてもよく、舌部溝は、第１のパネルの第１のエッジのエッジ溝に配置されてもよい。しかし、舌部溝と比較し、挿入溝はより大きなサイズが要求されることがある。従って、第１のパネルのエッジ部溝において挿入溝を有する代替案は、好ましい代替案となりうる。
【００３２】
可撓性舌部は、挿入溝の第３の変位面および第４の変位面に沿ってそれぞれ変位されるように構成された第１の変位面および反対側の第２の変位面を有してもよい。
【００３３】
本発明の第２の態様は、上記のようなパネルのセットを含む調度品または調度品部品などの組み立てられた製品である。
【図面の簡単な説明】
【００３４】
本発明の実施形態は、例として添付の概略図を参照してより詳細に説明される。
【図１】図１は、本発明の一実施形態による機械的ロックシステムが設けられたパネルを示す。
【図２Ａ】図２Ａは、本発明の一実施形態による可撓性舌部を示す。
【図２Ｂ】図２Ｂは、本発明の一実施形態による可撓性舌部を示す。
【図２Ｃ】図２Ｃは、本発明の一実施形態による可撓性舌部を示す。
【図２Ｄ】図２Ｄは、本発明の一実施形態による可撓性舌部を示す。
【図２Ｅ】図２Ｅは、本発明の一実施形態による可撓性舌部を示す。
【図２Ｆ】図２Ｆは、本発明の一実施形態による可撓性舌部を示す。
【図３Ａ】図３Ａは、本発明の一実施形態による可撓性舌部を示す。
【図３Ｂ】図３Ｂは、本発明の一実施形態による可撓性舌部を示す。
【図３Ｃ】図３Ｃは、本発明の一実施形態による組み立てられた調度品構成要素を示す。
【図４Ａ】図４Ａは、本発明の一実施形態による機械的ロックシステムが設けられたパネルの組み立てを示す。
【図４Ｂ】図４Ｂは、本発明の一実施形態による機械的ロックシステムが設けられたパネルの組み立てを示す。
【図４Ｃ】図４Ｃは、本発明の一実施形態による機械的ロックシステムが設けられたパネルの組み立てを示す。
【図５Ａ】図５Ａは、本発明の一実施形態による機械的ロックシステムが設けられたパネルの組み立てを示す。
【図５Ｂ】図５Ｂは、本発明の一実施形態による機械的ロックシステムが設けられたパネルの組み立てを示す。
【図５Ｃ】図５Ｃは、本発明の一実施形態による機械的ロックシステムが設けられたパネルの組み立てを示す。
【図６Ａ】図６Ａは、本発明の一実施形態による機械的ロックシステムが設けられたパネルを示す。
【図６Ｂ】図６Ｂは、本発明の一実施形態による機械的ロックシステムが設けられたパネルを示す。
【図７Ａ】図７Ａは、本発明の一実施形態による機械的ロックシステムが設けられたパネルを示す。
【図７Ｂ】図７Ｂは、本発明の一実施形態による機械的ロックシステムが設けられたパネルを示す。
【図７Ｃ】図７Ｃは、本発明の一実施形態による機械的ロックシステムが設けられたパネルを示す。
【図７Ｄ】図７Ｄは、本発明の一実施形態による機械的ロックシステムが設けられたパネルを示す。
【発明を実施するための形態】
【００３５】
図１は、互いに垂直に配置され、一緒に固定された２つのパネル２，４を示す。２つのパネルは、本棚、食器棚、ワードローブ、ボックス、引き出しまたは家具構成要素などの、調度品または調度品構成要素の一部であってもよい。２つのパネルは、第１の主面を有する第１のパネル２と、第２の主面を有する第２のパネル４とであってもよい。第１のパネル２および第２のパネル４には、第１のパネル２の第１のエッジを第２のパネル４の第２のエッジに対して固定するための機械的ロック装置が設けられており、第１の主面は本質的に、第２の主面に垂直である。第１のパネル２の第１のエッジは、第１の主面と第２の主面との間に延びる接合面Ｊで、第２のパネル４の第２のエッジに固定される。接合面と第１の主面との間の角度は、好ましくは約４５°である。第１のエッジは、接合面Ｊから延びるエッジ舌部２２を含む。エッジ舌部２２は、この実施形態では、接合面から本質的に垂直に延在する。第２のエッジは、接合面Ｊにおいてエッジ溝２１を含み、エッジ舌部は、接合面Ｊに平行な第１の方向に第１のエッジおよび第２のエッジを一緒に固定するためにエッジ溝と協働するように構成される。エッジ舌部２２は舌部溝１０を含み、エッジ溝２１は挿入溝２０に配置された可撓性舌部３０を含む。可撓性舌部３０は、接合面に対して垂直な第２方向に第１のエッジおよび第２のエッジを一緒に固定するために、舌部溝１０と協働するように構成される。
【００３６】
接合面２２におけるエッジ舌部２２は、第１の面４１と反対側の第２の面４２とを含んでいてもよく、第１の面と第２の面とは平行であり、好ましくは接合面Ｊに対して本質的に垂直である。接合面におけるエッジ溝２１は第３の面４０と反対側の第４の面４２とを含んでいてもよく、第３の面および第４の面は、第１の面４１および第２の面４３と平行であり、第１の方向にロックするために第２の面は第４の面と協働するように構成されてもよく、第１の面は第３の面と協働するように構成されてもよい。
【００３７】
エッジ舌部２２は、舌部の先端部において第５の面４５と反対側の第６の面４７とを含んでいてもよく、第５の面４５および第６の面４７は平行であり、好ましくは接合面Ｊに対して本質的に垂直である。その先端部は、舌部溝１０とエッジ舌部２２の最外縁との間の領域にあってもよい。エッジ溝２１は、エッジ溝の底部において第７の面４４と反対側の第８の面４６とを含んでいてもよく、第７の面４４および第８の面４６は第５の面４５および第６の面４７と平行である。第１の方向に固定するために第６の面４７は第８の面４６と協働するように構成されてもよく、第５の面４５は第７の面４４と協働するように構成されてもよい。
【００３８】
挿入溝２０は、第２の主面に対して鋭角７５で配置され、挿入溝２０の底部は、エッジ溝２１に対する挿入溝２０の開口よりも、第２のパネル４の内面に近くてもよい。その鋭角は、約１°〜約３０°の範囲、例えば約５°〜約１５°、好ましくは約１０°、の範囲としうる。代替的に、挿入溝２０は、第２の主面に対して平行に配置されてもよい。挿入溝２０は、本質的にエッジ溝２１の全長に沿って延びてもよく、エッジ溝２１は、本質的に第２のエッジの全長に沿って延びてもよい。
【００３９】
第１のパネルおよび第２のパネルのコアは、木質ベースであってもよい。エッジ溝２１、挿入溝２０、エッジ舌部２２および舌部溝１０は、好ましくは、第１のパネル２および第２のパネル４それぞれのフライス加工などの機械的切断によって形成される。
【００４０】
第１のパネル２は内面６０および外面６１を含み、内面６０および外面６１は好ましくは第１の主面と本質的に平行である。第２のパネル４は内面６２および外面６３を含み、内面６２および外面６３は好ましくは第２の主面と本質的に平行である。第１のパネル２の内面６０および第２のパネルの内面６２は、好ましくは、組み立てられた製品の内側に向かって面するように構成される。第１のパネルおよび第２のパネルのコアは、木質系であってもよく、コアは好ましくは第１のパネルおよび第２のパネルの内面および外面において装飾層で覆われている。エッジ溝２１、挿入溝２０、エッジ舌部２２および舌部溝１０は、好ましくは、第１のパネル２および第２のパネル４それぞれのフライス加工などの機械的切断によって形成される。
【００４１】
第１のパネルおよび第２のパネルの外側コーナーには、好ましくは、機械的ロックシステムの強度を増加させるためにベベル７６が設けられ、外側コーナーでの亀裂が回避され得る。そのベベルは、コアの一部を貫通して延在してもよく、そのベベルは、好ましくは装飾層で覆われた、そのような実施形態のためのものである。
【００４２】
挿入溝２０において移動可能な可撓性舌部３０の実施形態が図２Ａ〜図２Ｄに示される。図２Ａ〜２Ｂは、固定された部分における可撓性舌部３０を示し、図２Ｃ〜２Ｄは、第１のパネル２および第２のパネル４の組み立ての間の可撓性舌部３０を示す。図２Ｂは、図２Ａの可撓性舌部３０の断面を示す。図２Ｄは、図２Ｃの可撓性舌部３０の断面を示す。可撓性舌部３０は、湾曲可能な突出部２４を備える。可撓性舌部３０と挿入溝２０の底壁との間に空間２３が設けられている。図２Ｃは、第１のパネル２を第２のパネル４とともに組み立てる間において、可撓性舌部３０が挿入溝２０内に挿入溝２０の底壁に向かって押し込まれることを示す。可撓性舌部３０は、第１のパネル２および第２のパネル４がロック位置に達した場合に、その最初の位置に向かってはね返る。凹部２５は好ましくは湾曲可能な突出部の各々に配置される。
【００４３】
可撓性舌部３０は、挿入溝２０の第３の変位面２８および第４の変位面２９に沿ってそれぞれ変位されるように構成された第１の変位面２６および反対側の第２の変位面２７を有していてもよい。
【００４４】
湾曲可能な突出部２４を有さない可撓性舌部３０の別の実施形態は、図２Ｅ〜図２Ｆに示される。図２Ｆは、図２Ｅに示される可撓性舌部３０の断面を示す。その別の実施形態は、図２Ａ〜図２Ｄに示される実施形態と同じ機能を達成するために、その長さ方向に曲げることができる。
【００４５】
可撓性舌部３０のさらなる実施形態は図３Ａ〜図３Ｂに示される。図３Ａは、第１のパネル２および第２のパネル４が第２の主面に平行な方向に固定される前の可撓性舌部３０を示す。可撓性舌部３０は、第２の主面に平行な方向における第１のパネル２および第２のパネル４の固定するための外側部分およびくさび要素が設けられた内側部分３１を含む。その固定は、第１のパネル２の第１のエッジに平行な方向に、外側部分の短エッジにおいて力Ｐを加えることにより得られる。力Ｐは、可撓性舌部３０の外側部分を第１のパネル２の第１のエッジに平行な方向に変位させ、くさび要素は可撓性舌部３０の外側部分を挿入溝２０からでるように垂直方向に力をもたらす。したがって、その結果として生じる可撓性舌部３０の外側部分の変位は、矢印３２によって示されるように、第１のパネル２の第１のエッジに平行な方向とその垂直な方向との間の方向に関する。パネル２〜６の各々は、可撓性舌部３０を含んでいてもよい。
【００４６】
図３Ｃは、調度品または調度品部品などの、上述したパネルのセットを含む組み立てられた製品の実施形態を示す。第１のパネル２の第２のエッジは、第２のパネルの第２のエッジとして構成されている。第２のパネル４の第１のエッジは、第１のパネル２の第１のエッジと同じ、または本質的に同一に構成されている。それにより、第１のパネル２および第２のパネル４は、本質的に同一に構成される。さらに２つのパネルが示されており、第３のパネル６および第４のパネル５の各々は、第１のパネル２及び第２のパネル４の第１のエッジおよび第２のエッジと同じまたは本質的に同じに構成される第１のエッジおよび第２のエッジを含む。第１のパネル、第２のパネル、第３のパネルおよび第４のパネルはフレームとして組み立てられる。本質的に同一に構成される第１のエッジおよび第２のエッジをそれぞれが含む複数のパネルは有利となりうる。なぜならば、１種類のみのパネルは、広範囲の様々な種類の調度品または調度品構成要素の組み立てを可能にするように製造されることが必要とされるからである。
【００４７】
図４Ａ〜図４Ｃは、第１のパネル２と第２のパネル４を組み立てる実施形態を示す。第１のエッジは、接合面Ｊに平行な第１のエッジ面５５を備え、第２のエッジは、接合面Ｊに平行な第２のエッジ面５４を備え、第１のエッジ面５５は、第２のエッジ面５４と協働するように構成されている。第１のパネルは、接合面に垂直な第１の変位方向Ｄ１に変位される。エッジ舌部２２はエッジ溝２１に挿入され、可撓性舌部は変位溝内に押し戻され、第１のエッジ面と第２のエッジ面とが接触している場合に初期位置に向かってはね返る。  別の組み立てでは、第２のパネル４は、第１のパネルの変位に加えて、または第１のパネルの変位の代わりに、変位される。第２のパネルは、第１の変位方向とは反対の第２の変位方向Ｄ２に変位される。
【００４８】
図５Ａ〜図５Ｂは、可撓性舌部３０が代替的に第２のパネル４のエッジ舌部２２の挿入溝２０に配置されてもよく、舌部溝１０が第１のパネル２の第１のエッジのエッジ溝２１に配置されてもよいことを示す。しかし、舌部溝１０と比較してより大きなサイズの挿入溝２０が必要とされうる。したがって、エッジ溝２１において挿入溝２０を有する図１の実施形態は、好ましい実施形態であり得る。図５Ａ〜図５Ｃの第１のパネルおよび第２のパネルの組み立ては、図４Ａ〜図４Ｃの第１および第２のパネルの組み立てと本質的に同じである。
【００４９】
図６Ａ〜図６Ｂは、第２の端面に凹部５０を有する実施形態を示す。前記凹部はエッジ溝２１にわたって延在しうる。代替的な実施形態（図示せず）において、第１のエッジ面５５には凹部が設けられ、好ましくはエッジ舌部２２の各側において凹部を有することが証明される。凹部は、より小さな接触領域５１に亘る増大された圧力とともに第１のエッジ面と第２のエッジ面との間の接触を改善しうるものであり、第１のエッジ面又は第２のエッジ面における機械的ロックシステムの機械的切断から残っている緩んだ繊維などの不規則部が圧縮される。凹部５０の深さ部７５は、約０．１ｍｍから約０．５ｍｍ、好ましくは約０．２ｍｍ、の範囲であってもよい。接触領域５１は、好ましくは、内面に隣接し、外面に隣接して配置される。接触領域５１は、エッジ表面の長さの５〜５０％、または１０〜３５％を含みうる。
【００５０】
エッジ舌部２２の外側ベベルエッジは、第１パネルの内面６０に配置された装飾層の一部６４によって覆われてもよい。エッジ舌部は、例えばフライス加工などの機械的切断によって、舌部が第１のパネルから形成された場合に、装飾層を有するベベル部がコアの面を覆う装飾層から維持される。したがって、装飾層の部分６４は、第１のパネルの内面６０上に配置された装飾層と同じレベルＬにあってもよい。
【００５１】
装飾層を有するベベルエッジは、第１のパネルおよび第２のパネルの組み立ての間にわたって可撓性舌部が移動されるのに有利な面となり得る。
【００５２】
図７Ａ〜図７Ｄは、いくつかのコア材料にとって有利であり得るエッジ舌部の強度を増大させうる実施形態を示す。エッジ舌部の長さ７０は増大されてより長い距離７１が得られ、好ましくは、第２のパネル４の厚さ７４の約４０％〜約６０％、好ましくは約５０％、の範囲にあり、図７Ｃにおいて円で囲まれた領域の拡大された図である図７Ｂに示されるように、舌部溝と舌部の先端部との間により多くの材料が得られる。エッジ舌部は、舌部の先端部においてベベル部７２を設けることによって、第２のパネルの厚さに適合される。ベベル部７２は、舌部溝１０の側部と反対側のエッジ舌部の側部において配置されている。ベベル部の面は、好ましくは第２の主面と本質的に平行であり、エッジ溝の底面７３は、好ましくはベベル部面に平行である。
【００５３】
上記実施形態におけるパネルおよび要素のコア材料は、好ましくは、ＨＤＦ、ＭＤＦ、合板、一枚木板またはパーティクルボードなどの木質繊維ベースのボード、強化プラスチックボード、或いは木質繊維複合ボードを含む。
【図１】
0006762939.tif 000002
【図２Ａ】
0006762939.tif 000003
【図２Ｂ】
0006762939.tif 000004
【図２Ｃ】
0006762939.tif 000005
【図２Ｄ】
0006762939.tif 000006
【図２Ｅ】
0006762939.tif 000007
【図２Ｆ】
0006762939.tif 000008
【図３Ａ】
0006762939.tif 000009
【図３Ｂ】
0006762939.tif 000010
【図３Ｃ】
0006762939.tif 000011
【図４Ａ】
0006762939.tif 000012
【図４Ｂ】
0006762939.tif 000013
【図４Ｃ】
0006762939.tif 000014
【図５Ａ】
0006762939.tif 000015
【図５Ｂ】
0006762939.tif 000016
【図５Ｃ】
0006762939.tif 000017
【図６Ａ】
0006762939.tif 000018
【図６Ｂ】
0006762939.tif 000019
【図７Ａ】
0006762939.tif 000020
【図７Ｂ】
0006762939.tif 000021
【図７Ｃ】
0006762939.tif 000022
【図７Ｄ】
0006762939.tif 000023